(57)【要約】【課題】組立作業性を良好にでき、コスト面で有利にできるＬＥＤ照明器具を提供する。【解決手段】ＬＥＤ照明器具１０は、灯具本体１１と、灯具本体１１に収容されるＬＥＤ発光部１２と、ＬＥＤ発光部１２の前面に配置される配光制御部１３と、弾性部材により成形され、配光制御部１３の前面において灯具本体１１に取り付けられる固定部材１５と、を備える。【選択図】図１
2013098000.tif 000002
【特許請求の範囲】
【請求項１】
灯具本体と、
前記灯具本体に収容されるＬＥＤ発光部と、
前記ＬＥＤ発光部の前面に配置される配光制御部と、
弾性部材により成形され、前記配光制御部の前面において前記灯具本体に取り付けられる固定部材と、を備えるＬＥＤ照明器具。
【請求項２】
請求項１に記載のＬＥＤ照明器具において、
前記固定部材が、グレア制御機能を有するフードであるＬＥＤ照明器具。
【請求項３】
請求項１または請求項２に記載のＬＥＤ照明器具において、
前記固定部材および前記灯具本体に、係止機構を有するＬＥＤ照明器具。
【発明の詳細な説明】
【技術分野】
【０００１】
本発明は、ＬＥＤを光源として天井材の埋設孔に埋め込まれて設置されるダウンライトや天井面から吊り下げられるペンダント等に適用されるＬＥＤ照明器具に関する。
【背景技術】
【０００２】
従来より、セードの反射板の内側に光源を有し、セードの前面にカバーを設け、反射板の開口部にフランジを設けるとともにセードの内周面に支持突起を設けたＬＥＤ照明器具が知られている（例えば、特許文献１参照）。
特許文献１は、支持突起にフランジの背面を当接させ、カバーの開口周縁をフランジの前面に密着させた。
【先行技術文献】
【特許文献】
【０００３】
【特許文献１】特開平３−１０４１３号公報（図１、請求項１）
【発明の概要】
【発明が解決しようとする課題】
【０００４】
特許文献１は、カバーの外周とセードに内周との間への光の漏れを防止して光の放射範囲を整然と規制できる。
ところで、図５に示すように、特許文献１と同様に、ＬＥＤ発光部１０１を収容した灯具本体１０２に金属製のフード１０３を取り付けたＬＥＤ照明器具１００が提案されている。
ところが、このような従来のＬＥＤ照明器具１００は、フード１０３の外面から灯具本体１０２にねじ込まれたねじ１０４により、フード１０３が灯具本体１０２に固定されている。
【０００５】
そのため、このような従来のＬＥＤ照明器具１００は、ねじ１０４が落下することがあるとともに、ねじ１０４を紛失してしまうとフード１０３を灯具本体１０２に取り付けることができない。
さらに、このような従来のＬＥＤ照明器具１００は、ねじ１０４をねじ込むための工具が必要であるために、組立作業性が良好ではないばかりか、ねじ１０４を必要とするために、コスト面で不利である。
【０００６】
一方、特許文献１と同様に、隔径方向に弾性反発力を蓄積しているばね部材を用いて、ＬＥＤ発光部を収容した灯具本体にフードを取り付けたＬＥＤ照明器具が提案されている。
しかし、このような従来のＬＥＤ照明器具は、ばね部材が落下することがあるとともに、ばね部材を紛失してしまうとフードを灯具本体に取り付けることができない。
【０００７】
本発明は、前述した課題を解決するためになされたものであり、その目的は、組立作業性を良好にでき、コスト面で有利にできるＬＥＤ照明器具を提供することにある。
【課題を解決するための手段】
【０００８】
本発明に係るＬＥＤ照明器具は、灯具本体と、前記灯具本体に収容されるＬＥＤ発光部と、前記ＬＥＤ発光部の前面に配置される配光制御部と、弾性部材により成形され、前記配光制御部の前面において前記灯具本体に取り付けられる固定部材と、を備える。
【０００９】
本発明に係るＬＥＤ照明器具は、前記固定部材が、グレア制御機能を有するフードである。
【００１０】
本発明に係るＬＥＤ照明器具は、前記固定部材および前記灯具本体に、係止機構を有する。
【発明の効果】
【００１１】
本発明に係るＬＥＤ照明器具によれば、組立作業性を良好にでき、コスト面で有利にできるという効果を奏する。
【図面の簡単な説明】
【００１２】
【図１】本発明に係る第１実施形態のＬＥＤ照明器具の垂直断面図
【図２】本発明に係る第２実施形態のＬＥＤ照明器具の垂直断面図
【図３】本発明に係る第３実施形態のＬＥＤ照明器具の垂直断面図
【図４】本発明に係る第４実施形態のＬＥＤ照明器具の垂直断面図
【図５】従来のＬＥＤ照明器具の垂直断面図
【発明を実施するための形態】
【００１３】
以下、本発明に係る複数の実施形態のＬＥＤ照明器具について図面を参照して説明する。
（第１実施形態）
図１に示すように、本発明に係る第１実施形態のＬＥＤ照明器具１０は、灯具本体１１と、灯具本体１１に収容されるＬＥＤ発光部１２と、ＬＥＤ発光部１２の前面に取り付けられる配光制御部１３と、を備える。
ＬＥＤ照明器具１０は、配光制御部１３の前面に取り付けられるパネル１４と、パネル１４の前面において灯具本体１１に取り付けられる固定部材であるホルダ１５と、を備える。
【００１４】
灯具本体１１は、上部に不図示の電源ユニットを収容しており、下部に円筒形状の光源収容部１６を有し、光源収容部１６の下端部に開口部１７を有する。
ＬＥＤ発光部１２は、ＬＥＤ基板１８に複数のＬＥＤ１９が配光制御部１３に向くように封止されており、ＬＥＤ基板１８に有する不図示のプリント回路が電源ユニットに電気的に接続される。
【００１５】
ＬＥＤ発光部１２は、電源ユニットから給電されることにより、ＬＥＤ１９が発光され、ＬＥＤ１９の出射光が配光制御部１３に入射される。
配光制御部１３は、反射板であり、ＬＥＤ１９からの光成分を出射部２０からパネル１４に向けて配光制御する。
なお、配光制御部１３は、反射板に代えてレンズであってもよい。配光制御部１３がレンズの場合、ＬＥＤ１９からの光成分が導光されてパネル１４に向けて出射させる。
【００１６】
パネル１４は、弾性部材により円板形状に形成されており、配光制御部１３の出射部２０から入射した光成分を拡散して下方へ出射する機能を有する。
ホルダ１５は、弾性部材により略円筒形状に形成されており、筒状部２１と、筒状部２１の下端部に接続された鍔部２２と、を備える。
筒状部２１は、灯具本体１１における光源収容部１６の開口部１７の外径寸法Ｌ１よりもわずかに小さい内径寸法Ｌ２を有し、鍔部２２は、筒状部２１の内径寸法Ｌ２よりも小さい内径寸法Ｌ３を有する。
【００１７】
ホルダ１５は、灯具本体１１に取り付けられる際に、筒状部２１が、その内径寸法Ｌ２を灯具本体１１の開口部１７の外径寸法Ｌ１よりも大きくなるように弾性変形される。
そして、ホルダ１５は、内径寸法Ｌ２が灯具本体１１の開口部１７の外径寸法Ｌ１よりも大きくなるように弾性変形された状態で、灯具本体１１の開口部１７に被着される。
これにより、ホルダ１５は、弾性変形された際に蓄積された弾性復元力により、筒状部２１と灯具本体１１の開口部１７との間に大きな摩擦力が生じて灯具本体１１の開口部１７に弾性的に取り付けられる。
【００１８】
従って、ホルダ１５は、従来のもののようなねじやばね部材を必要とせずに、灯具本体１１に取り付けられる。
なお、ホルダ１５は、弾性部材により成形される筒状部２１が、弾性を有さない材料により成形される鍔部２２に２色成形されてもよい。
【００１９】
ＬＥＤ照明器具１０は、電源ユニットから給電されることにより、ＬＥＤ１９が発光され、ＬＥＤ１９の出射光が配光制御部１３に入射され、配光制御部１３がＬＥＤ１９からの光成分を出射部２０からパネル１４に向けて配光制御する。
そして、ＬＥＤ照明器具１０は、パネル１４により拡散された光成分を床面に向けて出射する。
【００２０】
以上、説明した本発明に係る第１実施形態のＬＥＤ照明器具１０によれば、パネル１４を備える場合のホルダ１５の取り付けに、従来のもののようなねじやばね部材を必要としないので、組立作業性を良好にでき、コスト面で有利にできる。
【００２１】
（第２実施形態）
次に、本発明に係る第２実施形態のＬＥＤ照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２２】
図２に示すように、本発明に係る第２実施形態のＬＥＤ照明器具３０は、固定部材であり、グレア制御機能を有するフード３１を備えている。
フード３１は、弾性部材により略円筒形状に形成されており、筒状部３２と、筒状部３２の下端部に接続された鍔部３３と、鍔部３３の内縁部から前面に向けて先細状の円筒形に突出されたグレア制御部３４と、を備える。
筒状部３２は、灯具本体１１の開口部１７の外径寸法Ｌ１よりもわずかに小さい内径寸法Ｌ２を有し、鍔部３３は、筒状部３２の内径寸法Ｌ２よりも小さい内径寸法Ｌ３を有する。
【００２３】
フード３１は、灯具本体１１に取り付けられる際に、筒状部３２が、その内径寸法Ｌ２を灯具本体１１の開口部１７の外径寸法Ｌ１よりも大きくなるように弾性変形される。
そして、フード３１は、内径寸法Ｌ２が灯具本体１１の開口部１７の外径寸法Ｌ１よりも大きくなるように弾性変形された状態で、灯具本体１１の開口部１７に被着される。
これにより、フード３１は、弾性変形された際に蓄積された弾性復元力により、筒状部３２と灯具本体１１の開口部１７との間に大きな摩擦力が生じて灯具本体１１の開口部１７に弾性的に取り付けられる。
【００２４】
従って、フード３１は、従来のもののようなねじやばね部材を必要とせずに、灯具本体１１に取り付けられる。
なお、フード３１は、弾性部材により成形される筒状部３２が、弾性を有さない材料により成形される鍔部３３およびグレア制御部３４に２色成形されてもよい。
【００２５】
ＬＥＤ照明器具３０は、電源ユニットから給電されることにより、ＬＥＤ１９が発光され、ＬＥＤ１９の出射光が配光制御部１３に入射され、配光制御部１３がＬＥＤ１９からの光成分を出射部２０からパネル１４に向けて配光制御する。
そして、ＬＥＤ照明器具３０は、パネル１４により拡散された光成分を床面に向けて出射する。
このとき、フード３１のグレア制御部３４により、ＬＥＤ１９からの光成分により光害となるグレアを防止する。
【００２６】
ＬＥＤ照明器具３０によれば、パネル１４を備える場合において、グレアを防止するフード３１の取り付けに、従来のもののようなねじやばね部材を必要としないので、組立作業性を良好にでき、コスト面で有利にできる。
【００２７】
（第３実施形態）
次に、本発明に係る第３実施形態のＬＥＤ照明器具について説明する。
図３に示すように、本発明に係る第３実施形態のＬＥＤ照明器具４０は、固定部材であり、グレア制御機能を有するフード４１を備えており、拡散機能を有するパネルを有さない。
フード４１は、弾性部材により略円筒形状に形成されており、筒状部４２と、筒状部４２の下端部に接続された鍔部４３と、鍔部４３の内縁部から前面に向けて先細状の円筒形に突出されたグレア制御部４４と、を備える。
筒状部４２は、灯具本体１１の開口部１７の外径寸法Ｌ１よりもわずかに小さい内径寸法Ｌ２を有し、鍔部４３は、筒状部４２の内径寸法Ｌ２よりも小さい内径寸法Ｌ３を有する。
【００２８】
フード４１は、灯具本体１１に取り付けられる際に、筒状部４２が、その内径寸法Ｌ２を灯具本体１１の開口部１７の外径寸法Ｌ１よりも大きくなるように弾性変形される。
そして、フード４１は、内径寸法Ｌ２が灯具本体１１の開口部１７の外径寸法Ｌ１よりも大きくなるように弾性変形された状態で、灯具本体１１の開口部１７に被着される。
これにより、フード４１は、弾性変形された際に蓄積された弾性復元力により、筒状部４２と灯具本体１１の開口部１７との間に大きな摩擦力が生じて灯具本体１１の開口部１７に弾性的に取り付けられる。
【００２９】
従って、フード４１は、従来のもののようなねじやばね部材を必要とせずに、灯具本体１１に取り付けられる。
なお、フード４１は、弾性部材により成形される筒状部４２が、弾性を有さない材料により成形される鍔部４３およびグレア制御部４４に２色成形されてもよい。
【００３０】
ＬＥＤ照明器具４０は、電源ユニットから給電されることにより、ＬＥＤ１９が発光され、ＬＥＤ１９の出射光が配光制御部１３に入射され、配光制御部１３がＬＥＤ１９からの光成分を出射部２０から出射する。
そして、ＬＥＤ照明器具４０は、フード４１のグレア制御部４４により、ＬＥＤ１９からの光成分により光害となるグレアを防止する。
【００３１】
ＬＥＤ照明器具４０によれば、グレアを防止するフード４１の取り付けに、従来のもののようなねじやばね部材を必要としないので、組立作業性を良好にでき、コスト面で有利にできる。
【００３２】
（第４実施形態）
次に、本発明に係る第４実施形態のＬＥＤ照明器具について説明する。
図４に示すように、本発明に係る第４実施形態のＬＥＤ照明器具５０は、固定部材であり、グレア制御機能を有するフード５１を備えており、拡散機能を有するパネルを有さない。
フード５１は、弾性部材により略円筒形状に形成されており、筒状部５２と、筒状部５２の下端部に接続された鍔部５３と、鍔部５３の内縁部から前面に向けて先細状の円筒形に突出されたグレア制御部５４と、を備える。
【００３３】
筒状部５２は、その内周面に係止機構に一部を構成する係止部５５を有し、この係止部５５は、灯具本体１１の光源収容部１６の外面に形成された係止機構の他の一部を構成する係止部受５６に係止される。
筒状部５２は、灯具本体１１の開口部１７の外径寸法Ｌ１よりもわずかに小さい内径寸法Ｌ２を有し、鍔部５３は、筒状部５２の内径寸法Ｌ２よりも小さい内径寸法Ｌ３を有する。
【００３４】
フード５１は、灯具本体１１に取り付けられる際に、筒状部５２が、その内径寸法Ｌ２を灯具本体１１の開口部１７の外径寸法Ｌ１よりも大きくなるように弾性変形される。
そして、フード５１は、内径寸法Ｌ２が灯具本体１１の開口部１７の外径寸法Ｌ１よりも大きくなるように弾性変形された状態で、灯具本体１１の開口部１７に被着される。
これにより、フード４１は、係止部５５が灯具本体１１の係止部受５６に係止され、弾性変形された際に蓄積された弾性復元力により、筒状部５２と灯具本体１１の開口部１７との間に大きな摩擦力が生じて灯具本体１１の開口部１７に弾性的に取り付けられる。
【００３５】
従って、フード５１は、従来のもののようなねじやばね部材を必要とせずに、灯具本体１１に取り付けられる。
なお、フード５１は、弾性部材により成形される筒状部５２が、弾性を有さない材料により成形される鍔部５３およびグレア制御部５４に２色成形されてもよい。
【００３６】
ＬＥＤ照明器具５０は、電源ユニットから給電されることにより、ＬＥＤ１９が発光され、ＬＥＤ１９の出射光が配光制御部１３に入射され、配光制御部１３がＬＥＤ１９からの光成分を出射部２０から出射する。
そして、ＬＥＤ照明器具５０は、フード５１のグレア制御部５４により、ＬＥＤ１９からの光成分により光害となるグレアを防止する。
【００３７】
ＬＥＤ照明器具５０によれば、フード５１が、灯具本体１１の係止部受５６に係止される係止部５５を有するために、強固な固定構造を取得できる。
【００３８】
なお、本発明のＬＥＤ照明器具において灯具本体、ＬＥＤ発光部等は、前述した各実施形態に限定されるものでなく、適宜な変形や改良等が可能である。
【符号の説明】
【００３９】
１０，３０，４０，５０  ＬＥＤ照明器具
１１  灯具本体
１２  ＬＥＤ発光部
１３  配光制御部
１５  ホルダ（固定部材）
３１  フード（固定部材）
４１  フード（固定部材）
５１  フード（固定部材）
５５  係止部（係止機構）
５６  係止部受（係止機構）
【図１】
2013098000.tif 000003
【図２】
2013098000.tif 000004
【図３】
2013098000.tif 000005
【図４】
2013098000.tif 000006
【図５】
2013098000.tif 000007